(57)【要約】【課題】建物躯体への取り付け自由度を向上させることが可能である庇を提供する。【解決手段】屋根体（１０）と、該屋根体を支持可能に一端を屋根体に取り付けられる方杖（２０）と、を有する庇（１）であって、方杖は屋根体と回動可能に連結されており、方杖の回動方向には、庇が建物に取り付けられた姿勢で水平方向となる方向が含まれることを特徴とする。【選択図】図２
2012007435.tif 000002
【特許請求の範囲】
【請求項１】
屋根体と、該屋根体を支持可能に一端を前記屋根体に取り付けられる方杖と、を有する庇であって、
前記方杖は前記屋根体と回動可能に連結されており、前記方杖の回動方向には、前記庇が建物に取り付けられた姿勢で水平方向となる方向が含まれることを特徴とする、庇。
【請求項２】
前記方杖は、棒状の部材である方杖本体を有し、該方杖本体の端部のうち前記屋根体側とは反対側の端部には前記建物に取り付け可能な躯体側連結部材を備え、
前記方杖本体と前記躯体側連結部材とは回動可能に連結されており、前記方杖本体の回動方向は、前記庇が建物に取り付けられた姿勢で水平方向となる方向が含まれることを特徴とする請求項１に記載の庇。
【請求項３】
前記屋根体と前記方杖とは、前記屋根体に沿って摺動可能に連結されていることを特徴とする請求項１又は２に記載の庇。
【請求項４】
前記方杖と前記屋根体との回動軸はボルトにより構成され、前記ボルトと組するナットを有し、前記ボルト又は前記ナットを緩めることにより、前記方杖の回動が許容され、前記ボルト又は前記ナットと締め付けることにより、前記方杖の回動が禁止されることを特徴とする請求項１〜３のいずれか一項に記載の庇。
【発明の詳細な説明】
【技術分野】
【０００１】
本発明は、建物に備えられる庇に関する。
【背景技術】
【０００２】
住宅のテラスや店舗の出入り口等の建物開口部には、日よけや雨よけを目的として庇が設けられることが多い。従って、庇は建物開口部の上縁のやや上方に、該縁に沿って配置されるとともに、屋外に突出するように取り付けられるのが通常である。そして庇の下方の建物開口部にはサッシ等の開口部装置が具備される。
【０００３】
庇の建物への取り付け構造にはいくつかの種類があるが、その中の１つに方杖構造がある。これは、日よけや雨よけの機能を有する屋根体を支持するために、方杖が用いられる構造であり、方杖の一端が屋根体の下面に取り付けられ、他端は建物に固定されるというものである。
【０００４】
特許文献１には従来の方杖構造による庇が開示されている。これによれば、通常の方杖構造であることに加え、支持桿が庇及びブラケットに枢着されることから、支持桿の庇及び壁面に対する鉛直方向における傾斜角度の自由な設定が可能であるとされている。
【先行技術文献】
【特許文献】
【０００５】
【特許文献１】実公平０３−４２１９０号公報
【発明の概要】
【発明が解決しようとする課題】
【０００６】
特許文献１に記載の庇は、サッシ等の開口部装置よりかなり上方の建物壁面に配置され、方杖に相当する部材の建物側端部はサッシ等の開口部装置より上に固定されている。また特許文献１では、方杖に相当する部材の建物側端部は建物の壁面等に固定されている。
【０００７】
しかしながら、建物の事情によっては、サッシ等の開口部装置の上方にスペースを大きく取れない場合も多く、庇をサッシ等の開口部装置に近づけて配置することも少なくない。このときには方杖の建物側端部は開口部装置の上縁よりも低い位置で建物に取り付ける必要がある。また、より強固に建物に庇を固定する観点からは、方杖の建物側端部を建物の柱に固定することが好ましい。
【０００８】
ところがこのような場合に、方杖を取り付けようとする柱の部分には既にサッシ等の開口部装置の縦枠が固定されており、方杖が延在する方向の柱の部位には既にサッシ等の縦枠が固定されていて、方杖を取り付けることができない場合があった。
【０００９】
このような問題を解決するために、従来では方杖を隣の異なる柱に取り付けるため、庇の幅を大きくしたり、新たな柱を設置する等していた。これには費用や施工時間がかかり問題であった。また、このような問題を特許文献１に記載の庇によっても解決することはできなかった。
【００１０】
そこで本発明は上記問題に鑑み、建物躯体への取り付け自由度を向上させることが可能である庇を提供することを課題とする。
【課題を解決するための手段】
【００１１】
以下、本発明について説明する。なお、本発明の理解を容易にするために添付図面の参照符号を括弧書きにて付記するが、それにより本発明が図示の形態に限定されるものではない。
【００１２】
請求項１に記載の発明は、屋根体（１０）と、該屋根体を支持可能に一端を屋根体に取り付けられる方杖（２０）と、を有する庇（１）であって、方杖は屋根体と回動可能に連結されており、方杖の回動方向には、庇が建物に取り付けられた姿勢で水平方向となる方向が含まれることを特徴とする、庇である。
【００１３】
請求項２に記載の発明は、請求項１に記載の庇（１）において、方杖（２０）は、棒状の部材である方杖本体（２１）を有し、該方杖本体の端部のうち屋根体（１０）側とは反対側の端部には建物に取り付け可能な躯体側連結部材（２５）を備え、方杖本体と躯体側連結部材とは回動可能に連結されており、該方杖本体の回動方向には、庇が建物に取り付けられた姿勢で水平方向となる方向が含まれることを特徴とする。
【００１４】
請求項３に記載の発明は、請求項１又は２に記載の庇（１）において、屋根体（１０）と方杖（２０）とは、屋根体に沿って摺動可能に連結されていることを特徴とする。
【００１５】
請求項４に記載の発明は、請求項１〜３のいずれか一項に記載の庇（１）において、方杖（２０）と屋根体（１０）との回動軸はボルト（３１）により構成され、ボルトと組するナット（３２）を有し、ボルト又はナットを緩めることにより、方杖の回動が許容され、ボルト又はナットと締め付けることにより、方杖の回動が禁止されることを特徴とする。
【発明の効果】
【００１６】
本発明によれば、庇が建物に取り付けられた姿勢において、方杖が水平面内の回動を含んでおり、いわゆる左右方向に回動できるので、開口部に備えられたサッシとの接触を回避しつつ、該サッシと同じ建物躯体（柱）に方杖を取り付けることができる。これにより方杖を他の柱へ取り付けることや新たな柱を設置する必要がなく利便性の高い庇となる。
また、上記のように回動できることから、サッシの種類により方杖の回動の程度を調整することが可能となり、部品の変更も生じないので汎用性も向上させることができる。
【図面の簡単な説明】
【００１７】
【図１】１つの実施形態にかかる庇が建物に取り付けられた場面を示す斜視図である。
【図２】庇の斜視図である。
【図３】庇の側面図である。
【図４】梁の断面を説明する図である。
【図５】梁及び方杖に注目した斜視図である。
【図６】躯体側連結部材の断面図（図６（ａ））と上面図（図６（ｂ））である。
【図７】梁側連結部材の断面図（図７（ａ））と上面図（図７（ｂ））である。
【図８】庇の建物への取り付けを説明する図である。
【図９】図８にＩＸで示した部位を拡大した図である。
【発明を実施するための形態】
【００１８】
本発明の上記した作用及び利得は、次に説明する発明を実施するための形態から明らかにされる。以下本発明を図面に示す実施形態に基づき説明する。ただし、本発明はこれら実施形態に限定されるものではない。
【００１９】
図１は１つの実施形態にかかる庇１が、建物開口部に具備されたサッシ窓５０の上方に取り付けられた場面を示す屋外側から見た斜視図である。このように、庇１はサッシ窓等の開口部装置の上端部に沿って配置され、建物から屋外に突出するように建物に取り付けられる。これにより、当該部分における日除け、雨よけの基本的な機能を発揮する。
【００２０】
図２は、図１と同じ視点で庇１のみを表した斜視図、図３は図２の紙面右側から見た庇１の側面図である。図１〜図３及び適宜示す図を参照しつつ庇１について説明する。
庇１は、屋根体１０と、該屋根体１０を支持する方杖２０と、を備えるいわゆる方杖支持構造の庇である。
【００２１】
屋根体１０は、前枠１１、躯体枠１２、母屋１３、パネル縁部材１４、パネル１５、及び梁１６を備えている。
【００２２】
前枠１１は、所定の断面を有する長尺の部材で、屋根体１０のうち建物から最も離隔する側の縁を構成する。
躯体枠１２は、所定の断面を有する長尺の部材で、建物開口部の上方に、該建物開口部の縁に沿った向きを長手方向として建物に固定される。すなわち、屋根体１０のうち建物側の縁を構成する。
母屋１３も所定の断面を有する長尺の部材で、前枠１１及び躯体枠１２に略平行に、該前枠１１と躯体枠１２との間に配置される。
パネル縁部材１４も所定の断面を有する長尺の部材である。パネル縁部材１４は、前枠１１と躯体枠１２とを渡すように配置され、このようなパネル縁部材１４が複数、所定の間隔を有して並べられる。従って、パネル縁部材１４は建物から外に向けて配置され、その内の２つは、屋根体１０の左右縁を構成する。
【００２３】
パネル１５は、面状の部材で、庇１の基本的な機能である日よけや雨よけの機能を発揮する部材である。面材は、上記した前枠１１、躯体枠１２、及びパネル縁部材１４で区画される枠内に配置される。
【００２４】
梁１６は、図３からよくわかるように、前枠１１、母屋１３及び躯体枠１２の下面側を渡すように配置される。梁１６は図１、図２からわかるように、屋根体１０のうち、左右両端部のそれぞれに設置されている。図４に、梁１６の断面形状がわかる図を示した。図４（ａ）が斜視図、図４（ｂ）が断面図である。図４からわかるように、梁１６は、断面略矩形の中空形状の本体１７とカバー１８とを備えている。
【００２５】
本体１７のうち、前枠１１や躯体枠１２と接する側とは反対側の面（すなわち下面側）には、本体１７の長手方向に沿って凹部１７ａが形成されている。凹部１７ａには、その対向する片のそれぞれから、互いに近づくように向き合ったレール片１７ｂ、１７ｃが突出するように設けられている。これにより後述するように、方杖２０が摺動可能にここに取り付けられる。詳しくは後で説明する。
【００２６】
カバー１８は、本体１７の凹部１７ａが具備される側の面に、該本体１７の長手方向に沿って配置される部材である。カバー１８は本体１７の凹部１７ａを隠蔽し、装飾部材として機能するとともに、塵埃等の入り込みを抑制している。
【００２７】
図１〜図３に戻って方杖２０について説明する。方杖２０は、屋根体１０を下方から支持する支持部材として機能し、その一端が梁１６、他端が建物躯体に固定される。図５には梁１６及び方杖２０に注目した図を示した。図３、図５からわかるように、方杖２０は、方杖本体２１、躯体側連結部材２５、及び梁側連結部材３５を有している。
【００２８】
方杖本体２１は、方杖２０の主要部をなす長尺の棒状部材である。その断面形状は特に限定されることはなく通常に適用される断面形状を用いることができる。本実施形態では、軽量化の観点から中空部材が適用されている。
【００２９】
躯体側連結部材２５は、方杖本体２１と建物躯体とを連結する部材である。図６には、図３のうち躯体側連結部材２５に注目した断面図（図６（ａ））、及び上面側から見た図（図６（ｂ））を示した。図６（ｂ）では分かり易さのため、一部の部材を透視して表している。
【００３０】
躯体側連結部材２５は、建物壁面に面して配置される板状の部材である基板２６を備えている。基板２６の面のうち一方の面からは、２枚の立設片２７、２８が所定の間隔を有して互いに面が対向するように略平行に立設されている。立設片２７、２８は、基板２６の面のうち、建物に面して配置される側とは反対側に設けられる。すなわち、立設片２７、２８が屋根体１０に向けられる。また立設片２７、２８は建物に取り付けられたときに上下方向に配列されている。
【００３１】
基板２６の立設片２７、２８が設けられた面うち、立設片２７、２８間以外の部位を覆うようにカバー２９が具備されている。カバー２９により、基板２６及び立設片２７、２８の一部を室外視から隠蔽する。
【００３２】
立設片２７、２８間には、該立設片２７、２８に挟まれるように接続部材３０が配置される。接続部材３０は、立設片２７、２８間を渡され、接続部材３０を貫通するボルト３１、ナット３２により立設片２７、２８間に固定される。従って、接続部材３０は図６にＶＩで示したようにボルト３１を中心に回動することが可能である。
【００３３】
接続部材３０には、基板２６側とは反対側に延びるように接続部３０ａが具備されており、該接続部３０ａを上記した方杖本体２１内に差し込む。従って、接続部材３０の回動に追随して方杖本体２１も回動可能とされている。
【００３４】
梁側連結部材３５は、方杖本体２１と梁１６とを連結する部材である。図７には、図３のうち梁側連結部材３５に注目した断面図（図７（ａ））、及び上面側から見た図（図７（ｂ））を示した。
【００３５】
梁側連結部材３５は、梁１６に配置される部材である梁側部材３６を備えている。梁側部材３６は、ブロック状の挿入部３６ａを具備し、その面のうち上面からは下方に向けて、有底の孔３６ｂが設けられている。また、挿入部３６ａの両側面には、図７（ａ）では破線で示し、図７（ｂ）ではその端部が表れている溝３６ｃが形成されている。当該溝３６ｃは梁１６の長手方向と同じ方向に形成されている。
また、挿入部３６ａの側面のうち、溝３６ｃが設けられていない側面の１つからは板状の固定部３６ｄが配置されている。当該固定部３６ｄをネジ等の固定部材を用いて梁１６に固定することにより、梁側部材３６、すなわち梁側連結部材３５が梁１６に固定される。
【００３６】
梁側連結部材３５は、梁側部材３６の下面側に接するように、方杖側部材３７が配置される。方杖側部材３７と梁側部材３６とは、ボルト３８、ナット３９により固定される。従って、方杖側部材３７は図７にＶＩＩで示したようにボルト３８を中心に回動することが可能である。
ここで、方杖側部材３７の回動はボルト３８、ナット３９を緩めることにより可能とされ、ボルト３８、ナット３９を締め付けることにより回動を禁止することができてもよい。これによれば、回動を自由に許容、禁止することができ、施工性を向上することが可能となる。
【００３７】
方杖側部材３７には、接続部３７ａが具備されており、該接続部３７ａは上記した方杖本体２１内に差し込まれる。従って、接続部３７ａの回動に追随して方杖本体２１も回動可能とされている。
【００３８】
ここで、梁側連結部材３５の梁側部材３６に具備された溝３６ｃ、３６ｃの内側に上記した梁１６の下面に形成されたレール片１７ｂ、１７ｃ（図４参照）を挿入するように配置する。これにより、梁側連結部材３５は梁１６の長手方向にレール片１７ｂ、１７ｃにガイドされるように摺動可能となる。
【００３９】
以上のような庇１によれば、庇１が建物に取り付けられる姿勢で、方杖２０の回動方向には水平方向となる方向が含まれる。すなわち、方杖２０は建物の左右方向に回動可能である。
【００４０】
以上のような構造を有する庇１により、庇１の取り付け自由度が向上する。例えば従来においては、方杖を取り付けるべき躯体（柱）に既にサッシの縦枠が取り付けられており、該縦枠と方杖とが接触してしまい、方杖を取り付けることができない場合があった。このような場合に、従来では他の柱に方杖を取り付けるために、庇自体の幅方向を大きくしたり、新たな躯体（柱）を増設していた。
しかし、これまでに説明した庇１によれば、サッシ縦枠を避けるように方杖を回動させることができるので、サッシ縦枠が既に取り付けられた躯体（柱）にも方杖を固定させることが可能となる。これについて、以下に例を挙げて説明する。
【００４１】
図８は、図１に破線VIII-VIIIで示した線に沿った矢視断面図で、わかりやさすさのため一部の部材は省略している。図８は、庇１の建物への取り付け構造について説明する図である。また図９は、図８のうちIXで示した範囲を拡大した図である。図８、図９では紙面下が屋外側、紙面上が室内側である。
【００４２】
図８、図９からわかるように、建物の柱（躯体）６０には、サッシ窓５０の縦枠５４が固定されており、縦枠の一部が屋外側に大きく突出している。これに対して方杖２０の方杖本体２１を図９に一点鎖線で示した方向（室内外方向）に対して所定の角度を傾ける。これにより方杖２０が縦枠５４に接触することを回避しつつ、縦枠５４と同じ柱６０に方杖２０を取り付けることが可能となる。
従来の庇では、図９の一点鎖線の方向に方杖が延び、これを移動回動することができなかったので、サッシの縦枠と接触してしまい、他の柱に取り付けるしかなかった。
【００４３】
方杖２０の建物への取り付けは、方杖２０の躯体側連結部材２５の基板２６（図６参照）を建物の壁６１に接触させ、壁６１及びその他の部材を貫通する固定部材３３により柱６０に固定する。このとき、躯体側連結部材２５が方杖本体２１に対して回動可能とされているので、躯体側連結部材２５が建物の壁６１の室外側面に沿った向きとなり、適切に面することができる。ただし、これに限定されることなく、躯体側の連結部材が回動できない場合であっても例えば楔形の部材を介すること等により取り付けることは可能である。
【００４４】
ここでは１つの例について説明したが、サッシの縦枠の屋外側方向への突出量やその形状はサッシの種類によって異なる。従って、本発明の庇によれば、方杖が回動できるので、多品種のサッシに対して同じ部材で対応することができる。
【００４５】
また、本実施形態の庇１では、梁側連結部材３５が梁１６の長手方向に摺動可能な構造を有していることから、方杖２０の角度変化に対して梁側連結部材３５と梁１６との位置を無段階に移動可能であり、角度の微調整も容易である。ただし、必ずしも方杖と梁とは摺動可能である必要はない。例えば梁の長手方向に複数の連結孔を設けておき、方杖の角度に応じて連結孔を選択して固定することもできる。
【００４６】
以上、現時点において実践的であり、かつ、好ましいと思われる実施形態を説明したが、本発明はこれら実施形態に限定されるものではなく、請求の範囲及び明細書全体から読み取れる発明の要旨或いは思想に反しない範囲で適宜変更可能であり、そのような変更を伴う庇も本発明の技術的範囲に包含されるものとして理解されなければならない。
【符号の説明】
【００４７】
１  庇
１０  屋根体
１１  前枠
１２  躯体枠
１３  母屋
１４  パネル縁部材
１５  パネル
１６  梁
２０  方杖
２１  方杖本体
２５  躯体側連結部材
３５  梁側連結部材
５０  サッシ窓
【図１】
2012007435.tif 000003
【図２】
2012007435.tif 000004
【図３】
2012007435.tif 000005
【図４】
2012007435.tif 000006
【図５】
2012007435.tif 000007
【図６】
2012007435.tif 000008
【図７】
2012007435.tif 000009
【図８】
2012007435.tif 000010
【図９】
2012007435.tif 000011